(57)【要約】      （修正有）【課題】配線を収納する配線溝を有する二重床において、上床を金属製のものよりもさらに軽量化し、運搬・施工性を高める上床構造を提供する。【解決手段】四辺形の上床板部１０の下面に複数の脚部１１を４個所以上突設し、上床板部１０に配線溝を有しない樹脂製の基本ブロック１、上床板部下面に複数の脚部を４個所以上突設し、上床板部にその一辺に平行な一方向に貫通する配線溝を形成する。さらに、配線溝を挟んだ両側の対向する脚部をその下部において接続板で接続一体化した樹脂製の一方向溝付ブロック、及び上床板部下面に複数の脚部を４個所以上突設し、上床板部にその一辺に平行な一方向に貫通する配線溝、及びこれに直行する配線溝を形成し、各配線溝を挟んだ両側の対向する脚部をその下部において接続板で接続一体化した樹脂製の二方向溝付ブロックを組み合わせ、下床上に敷き並べて上床を形成し、上床に二方向の連通する配線溝を形成する。【選択図】図３
0003169946.tif 000002
【実用新案登録請求の範囲】
【請求項１】
平面形状が四辺形の上床板部の下面に複数の脚部を４個所以上突設し、上床板部に配線溝を有しない樹脂製の基本ブロックと、
該基本ブロックと同じ平面形状を有し、上床板部下面に複数の脚部を４個所以上突設し、上床板部にはその一辺に平行な一方向に貫通する配線溝が形成され、該配線溝を挟んだ両側の対向する脚部がその下部において接続板で接続一体化され、該配線溝の両側面上部には蓋受段部が形成されて樹脂製溝蓋が装着される樹脂製の一方向溝付ブロックと、
前記基本ブロックと同じ平面形状を有し、上床板部下面に複数の脚部を４個所以上突設し、上床板部にはその一辺に平行な方向及びこれに直交する方向の、二方向にクロスして貫通する配線溝が形成され、該各配線溝を挟んだ両側の対向する脚部がその下部において接続板で接続一体化され、該配線溝の両側面上部には蓋受段部が形成されて樹脂製溝蓋が装着される樹脂製の二方向溝付ブロック
を組み合わせ、下床上に敷き並べて上床を形成し、該上床に二方向の連通する配線溝を形成することを特徴とする床配線のための上床構造。
【考案の詳細な説明】
【技術分野】
【０００１】
本考案は、コンクリートスラブなどの下床の上に施工する上床構造であって、配線を収納する配線溝を有するものに関する。
【背景技術】
【０００２】
下記特許文献１に開示されるように、コンクリートスラブなどの下床の上に上床ブロックを並べて設置する上床構造が知られている。上床には配線を収納する配線溝が設けられ、配線溝には溝蓋が装着される。このような上床ブロック及び溝蓋は主に金属又はコンクリート製であった。
【先行技術文献】
【特許文献】
【０００３】
【特許文献１】特開平８−３３１６７号公報
【考案の概要】
【考案が解決しようとする課題】
【０００４】
上記のコンクリート製上床ブロック及び溝蓋は、施工後の歩行感に優れるものの、重くて運搬、施工性に問題があり、また下床上に作用する積載荷重が大きくなるので、改修工事には不向きであった。金属製のものはコンクリート製よりも軽いが、非常に高価である。
【０００５】
本考案は、上床を金属製のものよりもさらに軽量化し、運搬・施工性を高めると共に、コストダウンとなる上床構造を開発することを課題とするものである。
【課題を解決するための手段】
【０００６】
本考案は、平面形状が四辺形の上床板部の下面に複数の脚部を４個所以上突設し、上床板部に配線溝を有しない樹脂製の基本ブロックと、
該基本ブロックと同じ平面形状を有し、上床板部下面に複数の脚部を４個所以上突設し、上床板部にはその一辺に平行な一方向に貫通する配線溝が形成され、該配線溝を挟んだ両側の対向する脚部がその下部において接続板で接続一体化され、該配線溝の両側面上部には蓋受段部が形成されて樹脂製溝蓋が装着される樹脂製の一方向溝付ブロックと、
前記基本ブロックと同じ平面形状を有し、上床板部下面に複数の脚部を４個所以上突設し、上床板部にはその一辺に平行な方向及びこれに直交する方向の、二方向にクロスして貫通する配線溝が形成され、該各配線溝を挟んだ両側の対向する脚部がその下部において接続板で接続一体化され、該配線溝の両側面上部には蓋受段部が形成されて樹脂製溝蓋が装着される樹脂製の二方向溝付ブロックを組み合わせ、下床上に敷き並べて上床を形成し、該上床に二方向の連通する配線溝を形成することを特徴とする床配線のための上床構造である。
【０００７】
基本ブロック、一方向溝付ブロック及び二方向溝付ブロックの３種類の上床ブロックを組み合わせて下床の上に敷き並べることで、上床に、直行する二方向の配線溝を任意の間隔で形成できる。
【考案の効果】
【０００８】
基本ブロック、一方向溝付ブロック及び二方向溝付ブロックが樹脂製であると共に、上床板部の下面に複数の脚部を突設した構造なので、原材料の比重と容積を小さくし、きわめて軽くすることができる。溝蓋も樹脂製であるのできわめて軽い。したがって、本考案の床構造は、全体が軽く、樹脂によって安価に製造でき、運搬性・施工性に優れ、下床に作用する積載荷重がきわめて少ないので、改修工事に用いてもきわめて好適である。
【図面の簡単な説明】
【０００９】
【図１】基本ブロック１の平面図である。
【図２】基本ブロック１の側面図である。
【図３】基本ブロック１の底面図である。
【図４】図１におけるＡ−Ａ線断面図である。
【図５】一方向溝付ブロック２の平面図・正面図・側面図である。
【図６】一方向溝付ブロック２の底面図である。
【図７】図５におけるＢ−Ｂ線断面図である。
【図８】図５におけるＣ−Ｃ線断面図である。
【図９】二方向溝付ブロック３の平面図・正面図・側面図である。
【図１０】二方向溝付ブロック３の底面図である。
【図１１】図９におけるＤ−Ｄ線断面図である。
【図１２】連結ピン６の平面図及び正面図である。
【図１３】実施例の上床構造の平面図である。
【図１４】実施例の上床構造の平面図である。
【考案を実施するための形態】
【００１０】
図面に基づいて本考案の実施形態を説明する。
本考案において、上床ブロックは基本ブロック、一方向溝付ブロック及び二方向溝付ブロックの３種類である。
図１〜４は本考案における基本ブロックの一例、図５〜８は本考案における一方向溝付ブロックの一例、図９〜１１は本考案における二方向溝付ブロックの一例を示している。ブロックは樹脂で一体成形したもので、その材質は強度を確保できるものであればよく、例えばポリプロピレン、リサイクル再生プラスチックなどとすることがきる。
【００１１】
図１〜４の基本ブロック１は、平面形状が四辺形（正方形）の上床板部１０の下面に、マトリックス状に配置した９個所の脚部１１が突設されている。図４に示すように、脚部１１の内部は空洞となっており、下端にゴムなどの弾性体でなるキャップ１４を被せている。上床板部１０の各辺中央には連結凹部１２が形成されている。図３に網掛けで示されるのは、厚みが薄くなるように刳りぬいた刳抜部１３で、その回りの白い部分は補強リブとなっている。刳抜部１３及び脚部内部の空洞によって、原材料の節減、更なる軽量化が実現される。基本ブロック１には、配線溝は形成されていない。
【００１２】
図５〜８の一方向溝付ブロック２は、基本ブロック１と同じ平面形状を有し、上床板部２０の下面に、マトリックス状に配置した９個所の脚部２１が突設されている。図７，８に示すように、脚部２１の内部は空洞となっている。上床板部２０の各辺中央には連結凹部２２が形成されている。図６に網掛けで示されるのは、厚みが薄くなるように刳りぬいた刳抜部２３で、その回りの白い部分は補強リブとなっている。刳抜部２３及び脚部内部の空洞によって、原材料の節減、更なる軽量化が実現される。
【００１３】
一方向溝付ブロック２の上床板部２０には、その一辺に平行な一方向（図５の縦方向）に貫通する配線溝２４が形成されている。図８に明らかなように、配線溝２４を挟んだ両側の対向する脚部２１は、その下端部において接続板２５で接続一体化されている。配線溝２４の左右両側面上部には蓋受段部２６が形成されて、樹脂製の溝蓋４が装着されている。溝蓋４の材質は各上床ブロックと同じである。
【００１４】
図９〜１１の二方向溝付ブロック３は、基本ブロック１と同じ平面形状を有し、上床板部３０の下面に、マトリックス状に配置した９個所の脚部３１が突設されている。図１１に示すように、脚部３１の内部は空洞となっている。上床板部３０の各辺中央には連結凹部３２が形成されている。図１０に網掛けで示されるのは、厚みが薄くなるように刳りぬいた刳抜部３３で、その回りの白い部分は補強リブとなっている。刳抜部３３及び脚部内部の空洞によって、原材料の節減、更なる軽量化が実現される。
【００１５】
二方向溝付ブロック３の上床板部３０には、その一辺に平行な一方向（図９の縦方向）に貫通する配線溝３４が形成されている。さらに、これに直行する方向（図９の横方向）に貫通する配線溝３５が形成されている。図１１に明らかなように、配線溝３４を挟んだ両側の対向する脚部３１は、その下端部において接続板３７で接続一体化され、配線溝３５を挟んだ両側の対向する脚部３１は、その下端部において接続板３８で接続一体化されている。配線溝３４，３５の左右両側面上部には蓋受段部２６が形成されて、樹脂製の溝蓋４，５が装着されている。溝蓋４は平面形状が概略四辺形で、溝蓋５の平面形状は概略十字形である。溝蓋４，５の材質は各上床ブロックと同じである。
【００１６】
本考案の上床構造は、基本ブロック１、一方向溝付ブロック２及び二方向溝付ブロック３を適宜に組み合わせて下床（建物のコンクリートスラブなど）の上に敷き並べることで、任意の間隔で縦横二方向の配線溝を形成し、この配線溝の内部にＯＡ機器などの配線を収納することができる。全ての配線溝は連通させることができる。また、上床を敷き並べる工事が終了した後に、溝蓋を開けて配線溝を開口し、配線を行うことができるので、配線設置工事や配線修理工事にきわめて便利である。この上床構造の上にはタイルカーペットなど、任意の仕上材を施工できる。
【００１７】
図１３は、本考案の上床構造における基本ブロック１、一方向溝付ブロック２及び二方向溝付ブロック３の組合せパターンの一例、図１４は他の組合せパターンである。隣り合うブロックの連結凹部には、連結ピン６を差し込んで相互の位置関係を固定している。なお連結ピンは、必ずしも、隣り合う全てのブロックに施工する必要はなく、例えば、一方向溝付ブロック及び二方向溝付ブロックについて１０００ｍｍピッチで施工する。これらの図において、溝蓋の位置（すなわち配線溝の位置）を網掛けで示している。このように、配線溝は、縦横二方向に任意の間隔で形成することができる。
【符号の説明】
【００１８】
１  基本ブロック
１０  上床板部
１１  脚部
１２  連結凹部
１３  刳抜部
１４  キャップ
２  一方向溝付ブロック
２０  上床板部
２１  脚部
２２  連結凹部
２３  刳抜部
２４  配線溝
２５  接続板
２６  蓋受段部
３  二方向溝付ブロック
３０  上床板部
３１  脚部
３２  連結凹部
３３  刳抜部
３４  配線溝
３５  配線溝
３６  蓋受段部
３７  接続板
３８  接続板
４  溝蓋
５  溝蓋
６  連結ピン
【図１】
0003169946.tif 000003
【図２】
0003169946.tif 000004
【図３】
0003169946.tif 000005
【図４】
0003169946.tif 000006
【図５】
0003169946.tif 000007
【図６】
0003169946.tif 000008
【図７】
0003169946.tif 000009
【図８】
0003169946.tif 000010
【図９】
0003169946.tif 000011
【図１０】
0003169946.tif 000012
【図１１】
0003169946.tif 000013
【図１２】
0003169946.tif 000014
【図１３】
0003169946.tif 000015
【図１４】
0003169946.tif 000016